(57)【要約】  【課題】  除毛剤をむだ毛に塗布する際に使用することができ、また、その除毛剤をむだ毛とともに除去する際にも使用できる除毛剤用器具を提供することにある。特に、除毛剤とともにむだ毛をきれいに除去することも容易にできるだけでなく、使用時の皮膚刺激も少なく肌に優しい除毛剤用器具を提供することにある。  【解決手段】  硬質樹脂からなるへら部と、軟質樹脂からなるへら部とを備えることを特徴とする除毛剤用器具。その形状としては、硬質樹脂からなるへら部の端縁が凸弧線をなし、軟質樹脂からなるへら部の端縁が凹弧線をなすことが好ましい。また、本発明の除毛剤用器具は、一次成形に硬質樹脂を用い、二次成形に軟質樹脂を用いた二色成形品であることが好ましい。【選択図】  図１
2007185216.tif 000002
【特許請求の範囲】
【請求項１】
硬質樹脂からなるへら部と、軟質樹脂からなるへら部を備えることを特徴とする除毛剤用器具。
【請求項２】
硬質樹脂からなるへら部の端縁が凸弧線をなし、軟質樹脂からなるへら部の端縁が凹弧線をなす請求項１に記載の除毛剤用器具。
【請求項３】
一次成形に硬質樹脂を用い、二次成形に軟質樹脂を用いた二色成形品である請求項１または２に記載の除毛剤用器具。
【発明の詳細な説明】
【技術分野】
【０００１】
本発明は除毛剤用の器具に関するものであり、さらに詳しくは、除毛剤をむだ毛に塗布する際に使用できる器具であり、また、その除毛剤をむだ毛とともに除去する際にも使用できる器具に関するものである。
【背景技術】
【０００２】
手、足の産毛や脇毛等の体毛はむだ毛と呼ばれ、それらを目立たなくしたり、除毛や脱毛などの処理が一般に行われている。これらむだ毛を処理する方法としては、剃刀等を用いて剃毛する方法、毛抜き等を用いて一本ずつ、または粘着テープ、脱毛ワックス、脱毛ゼリー、もしくは脱毛用機械等を用いて複数本まとめて物理的に脱毛する方法、チオグリコール酸等のメルカプト化合物を配合した除毛剤等を用いて毛のシスチン結合を還元切断することにより皮膚表面のむだ毛を化学的に除去する方法、特殊な器具を用いて電気的刺激を与えて脱毛する方法、あるいは化学的な脱色により毛髪のブリーチを行う方法などが挙げられる。
【０００３】
これら様々な処理方法は、処理に要する費用、処理時の手間、および処理時の痛みや皮膚刺激などの面で、それぞれ長所、短所があるが、費用も安く、処理も簡単であり、また処理時の痛みも比較的軽いことから、化学的作用により除毛する除毛剤が初心者を中心に広く一般に用いられている。除毛剤は、クリーム状、ペースト状、泡状、またはジェル状等の剤型をとり、除毛しようとする部位に塗布し、一定時間放置後に拭き取ったり、洗い流したりして使用するのが通常である。そのため、塗布用のへら状器具を付属する除毛剤もあり、特に、使い切りではないタイプの除毛剤は、この器具を洗浄して繰り返し使用するものもある。
【０００４】
ところが付属のへら状器具は、バターナイフのような形状で硬質の材料を用いたものが多く、除毛剤を均一に満遍なく塗布するには、必ずしも使い易いものばかりではなかった。なお、この点を直接解決するものではないが、ニット、繊物、不繊布、紙または発泡体等を素材とする手指シース状の筒状袋体に液状、ペースト状、ゲル状または粉状の化粧料を担持させた化粧用具が開示されており（例えば、特許文献１参照。）、除毛剤も塗布する対象として挙げられている。
【０００５】
一方、除毛剤をむだ毛とともに除去する際には、やはり付属のへら状器具ではきれいに除去できないため、ティッシュペーパーやタオルなどを用いて拭き取ることが行われている（例えば、特許文献２参照。）。これに対し、除毛剤処理後の皮膚上の除毛剤及び体毛を、ティッシュペーパーやタオルなどよりも効率よく拭き取るための除毛シートとして、平均繊維間距離７０〜５０００μｍの不織布よりなる拭き取り用除毛処理シートが開示されている（例えば、特許文献３参照。）。
【０００６】
【特許文献１】特開２０００−０７９０１６号公報（第３頁、段落０００７）
【特許文献２】特開平０２−０２８１０７号公報（第３頁、右下欄第８〜１１行）
【特許文献３】特開２０００−０７００３０号公報（第２頁、特許請求の範囲）
【発明の開示】
【発明が解決しようとする課題】
【０００７】
上述のように、従来付属の硬質のへら状器具では、除毛剤を均一に満遍なく塗布することは可能であるが、除毛剤とともにむだ毛をきれいに除去することは、容易ではなかった。その上、チオグリコール酸等のメルカプト化合物を配合した除毛剤は、通常アルカリ性
を呈しているため、これら除毛剤に晒された皮膚は刺激を受けており、その皮膚を硬質のへら状器具で擦ることは、皮膚を痛める可能性もあった。
【０００８】
一方、特許文献１に開示された化粧用具や、特許文献３に開示された除毛処理シートなどを用いることも考えられるが、いずれも塗布用、または除去用といったいずれか専用のものであり、また除毛剤に付属させて繰り返し使用するには、コスト面・衛生面などから適しているとはいえず、さらに使用時の皮膚刺激の面でも肌にやさしいかどうかは疑問である。
【０００９】
そこで本発明者らは、上記課題に鑑みて、除毛剤用に最適な器具の材質や形状を鋭意研究した結果、特定の材質を組み合わせることにより、除毛剤の塗布や除去を効率的にでき、しかも肌に優しい器具を見出し、本発明を完成した。
【００１０】
すなわち本発明の目的は、除毛剤をむだ毛に塗布する際に使用することができ、また、その除毛剤をむだ毛とともに除去する際にも使用できる除毛剤用器具を提供することにある。特に、除毛剤とともにむだ毛をきれいに除去することも容易にできるだけでなく、使用時の皮膚刺激も少なく肌に優しい除毛剤用器具を提供することにある。
【課題を解決するための手段】
【００１１】
上述の目的を達成するため、本発明の除毛剤用器具は、硬質樹脂からなるへら部と、軟質樹脂からなるへら部とを備えることを特徴としている。
【００１２】
さらに、本発明の除毛剤用器具の形状としては、硬質樹脂からなるへら部の端縁が凸弧線をなし、軟質樹脂からなるへら部の端縁が凹弧線をなすことが好ましい。また、本発明の除毛剤用器具は、一次成形に硬質樹脂を用い、二次成形に軟質樹脂を用いた二色成形品であることが好ましい。
【発明の効果】
【００１３】
以上のように、本発明によれば、除毛剤をむだ毛に塗布する際に使用することができ、また、その除毛剤をむだ毛とともに除去する際にも使用できる除毛剤用器具を提供できる。しかも、この除毛剤用器具は、除毛剤を均一に満遍なく塗布することが容易にでき、また、むだ毛とともに除毛剤をきれいに除去することも容易にできるだけでなく、除毛剤をむだ毛とともに除去する際の皮膚刺激も少なく肌に優しい。
【発明を実施するための最良の形態】
【００１４】
以下、本発明を詳細に説明する。
【００１５】
本発明の除毛剤用器具は、硬質樹脂からなるへら部と軟質樹脂からなるへら部の少なくとも二つのへら部を備える器具である。この器具の使用方法としては、例えば、硬質樹脂からなるへら部を用いて除毛剤をむだ毛に塗布し、軟質樹脂からなるへら部を用いて除毛剤をむだ毛とともに除去するようにすると、効果が充分に得られるため好ましい。
【００１６】
上記硬質樹脂としては、クリーム状、ペースト状、泡状、またはジェル状等の剤型をとる除毛剤を塗布するのに充分な硬度を有し、また、通常ｐＨ１２〜１３程度となる除毛剤に対してアルカリ耐性を有するものであれば特に限定されず、熱可塑性樹脂でも熱硬化製樹脂でもよい。このようなものとして、例えば、熱可塑性樹脂として、フッ素樹脂、ポリアセタール、ポリアミド、ポリイミド等のイミド系樹脂、ポリエーテルエーテルケトン、ポリエーテルスルホン等の芳香族ポリスルホン系樹脂、ポリ塩化ビニル、ポリ塩化ビニリデン、ポリエチレンやポリプロピレン等のポリオレフィン樹脂、ポリスルホン、ポリスチレン、アクリロニトリル・スチレン樹脂、アクリロニトリル・ブタジエン・スチレン樹脂
、ポリテトラフルオロエチレンなどが挙げられ、熱硬化性樹脂として、エポキシ樹脂、尿素樹脂、アルキド樹脂などが挙げられるが、そのなかでも、除毛剤に用いられる器具の材質としては、物性、加工性およびコスト等の面より、ポリプロピレンが最適である。
【００１７】
上記軟質樹脂としては、除毛剤をむだ毛とともに除去する一方で、使用時の皮膚刺激も少なくするために適度なゴム弾性と摩擦力を有し、また、通常ｐＨ１２〜１３程度となる除毛剤に対してアルカリ耐性を有するものであれば特に限定されず、天然ゴムや合成ゴム加硫物等のような架橋性のものでも、熱可塑性エラストマーのような熱可塑性のものでもよいが、特に架橋工程を必要せず、また容易に成形できる熱可塑性エラストマーが好ましい。熱可塑性エラストマーとしては、例えば、オレフィン系熱可塑性エラストマー、スチレンブタジエン系熱可塑性エラストマー、ポリアミド系熱可塑性エラストマー、塩化ビニル系熱可塑性エラストマー、フッ素ゴム系熱可塑性エラストマー等が挙げられるが、そのなかでも、除毛剤に用いられる器具の材質としては、物性、加工性およびコスト等の面より、オレフィン系熱可塑性エラストマーが好ましい。特に、ポリプロピレンとエチレン・プロピレンゴムをブレンドしたオレフィン系熱可塑性エラストマーは、硬質樹脂としてポリプロピレンを用いたときに相溶性が高く最適である。
【００１８】
すなわち、本発明の除毛剤用器具において、硬質樹脂がポリプロピレンであり、軟質樹脂がオレフィン系熱可塑性エラストマーであることが好ましい。
【００１９】
本発明の除毛剤用器具の形状としては、硬質樹脂からなるへら部と軟質樹脂からなるへら部の少なくとも二つのへら部を備えていれば特に問わず、矩形状（正方形状含む）、略円形状（真円形状含む）、多角形状、鉤形状、扇形状、その他考えられる形状はいずれでも構わない。これらのなかでも、硬質樹脂からなるへら部の端縁が凸弧線をなし、軟質樹脂からなるへら部の端縁が凹弧線をなすことが好ましい。これら凸弧線および凹弧線の数や大きさは特に限定するものではないが、好ましくは、硬質樹脂からなるへら部の端縁が異なる径の凸弧線を二つ以上有し、軟質樹脂からなるへら部の端縁が異なる径の凹弧線を二つ以上有することを特徴とする除毛剤用器具である。
【００２０】
異なる径の凸弧線としては、例えば大腿部などのように比較的広く緩やかな曲面に除毛剤を塗布しやすいように、直線に近い線となるような大きな径の凸弧線と、例えば前腕部などのように狭く彎曲した面に除毛剤を塗布しやすいように、前記大きな径の凸弧線よりも大きな曲率を持った線となるような小さな径の凸弧線の二つを有するものが挙げられるが、これら凸弧線は必ずしも一定の径による一定の曲率である必要はなく、凸弧状に彎曲した線であれば、その曲率が一定でなくてもよい。また、径を変えて三つ以上の凸弧線を設けても良い。なお、大きな径の凸弧線としては半径６０ｍｍ以上から直線程度が好ましく、小さな径の凸弧線としては半径３０ｍｍ以上から直線程度が好ましい。
【００２１】
同様に、異なる径の凹弧線としては、例えば大腿部などのように比較的広く緩やかな曲面の除毛剤をむだ毛とともに除去しやすいように、直線に近い線となるような大きな径の凹弧線と、例えば前腕部などのように狭く彎曲した面の除毛剤をむだ毛とともに除去しやすいように、前記大きな径の凹弧線よりも大きな曲率を持った線となるような小さな径の凹弧線の二つを有するものが挙げられるが、これら凹弧線は必ずしも一定の径による一定の曲率である必要はなく、凹弧状に彎曲した線であれば、その曲率が一定でなくてもよい。また、径を変えて三つ以上の凹弧線を設けても良い。なお、大きな径の凹弧線としては直線から半径１００ｍｍ程度が好ましく、小さな径の凹弧線としては直線から半径５０ｍｍ程度が好ましい。
【００２２】
上述のように、硬質樹脂からなるへら部の端縁が凸弧線をなし、軟質樹脂からなるへら部の端縁が凹弧線をなすことにより、腕や脚などの形状にフィットするため、除毛剤の塗
布や除去をより効率的にできるだけでなく、使用時の皮膚刺激もより少なくできる。特に、大きさの異なる径による凸弧線または凹弧線を、腕や脚など異なる太さや曲面に合わせて使用すれば、その効果はさらに大きくなる。
【００２３】
本発明の除毛剤用器具は、硬質樹脂部分と軟質樹脂部分が一体化していることが望ましいが、それぞれが分離可能であっても構わない。一体化するには、接着剤などを用いて接合させても、嵌合形状または螺号形状などの形状に成形して結合させてもよく、あるいは二色成形などの一体成形を行ってもよいが、一次成形に硬質樹脂を用い、二次成形に軟質樹脂を用いた二色成形品であることが好ましい。
【００２４】
本発明の除毛剤用器具を二色成形する場合、射出成形機を２台用いるか、２本以上のシリンダを有する二色射出成形機を用いて公知の方法で製造すればよく、例えば、回転式二色射出成形機やコアバック式二色射出成形機などの二色射出成形機を用いる方法、または、インサート方式による方法などが挙げられる。具体的に例を挙げれば、２本以上のシリンダを有する回転式二色射出成形機の場合、通常、固定型には一次成形用と二次成形用が設けられ、対になる回転型が金型回転板等に設けられており、第１シリンダより一次成形品の硬質樹脂部分を成形し、一度型開きをして、一次成形品を固定型に付着させたまま、金型回転盤を１８０゜回転させて型を閉じ、第２シリンダより二次成形品の軟質樹脂部分を成形し、再び型開きを行い、成形品を金型から取出して、二色成形品の除毛剤用器具ができあがる。また、コアバック式二色射出成形機の場合は、金型の構造が異なり、硬質樹脂部分の成形後に金型の一部を陥没させて、ここに軟質樹脂を充填し成形し、二色成形品の除毛剤用器具ができあがる。一方、インサート方式の場合、先ず硬質樹脂部分を成形し、それを除毛剤用器具の最終形状をした金型に入れて硬質樹脂部分の周囲に軟質樹脂を充填し、これを硬質樹脂部分と一体化する。
【００２５】
上述のように、一次成形に硬質樹脂を用い、二次成形に軟質樹脂を用いた二色成形品とすることにより、硬質樹脂と軟質樹脂が隙間なく一体化できるため、使用後に洗浄できるため衛生的に、繰り返し使用できる。そして、硬質樹脂としてポリプロピレンを、軟質樹脂樹脂としてオレフィン系熱可塑性エラストマーを用いることは、ベースポリマーを共通とするため相溶性が高く、より一体化し、また安全衛生面からも好ましいものとなる。
【００２６】
すなわち、本発明における好ましい形態のひとつとして、ポリプロピレン樹脂を一次成形した大小二径の凸弧線を有するへら部と、オレフィン系熱可塑性エラストマー樹脂を二次成形した大小二径の凹弧線を有するへら部とからなる二色成形品であることを特徴とする除毛剤用器具が挙げられる。
【実施例】
【００２７】
以下、本発明の除毛剤用器具について、その実施形態を例示することにより具体的に説明するが、本発明はこれら実施例により何ら限定されるものではない。
【００２８】
本発明の除毛剤用器具の一実施形態を図１に示す。本実施例の除毛剤用器具１は、ポリプロピレン製の一次成形品２とポリプロピレンとエチレン・プロピレンゴムをブレンドしたオレフィン系熱可塑性エラストマー製の二次成形品３（図１では斜線部で示される。）とからなり、略Ｓ字状に彎曲した長さのある薄板状の二色成形品である。除毛剤用器具１において、一次成形品２は、へら部４およびへら部５を備えており、二次成形品３は、へら部６およびへら部７を備えている。これら各へら部は、除毛剤用器具１の長手方向に見て、へら部４とへら部６が一側に、へら部５とへら部７が他側にそれぞれ同じ側となる位置であって、かつ、短手方向に見て、へら部４とへら部７が一方に、へら部５とへら部６が他方にそれぞれ同じ方となる位置に設けられている。すなわち、へら部４から見て、へら部５は対角に、へら部６は対辺に、へら部７は同辺に、それぞれ位置する。そして、へ
ら部４の端縁は大径凸弧線８をなしており、へら部５の端縁は小径凸弧線９をなしている。一方、へら部６の端縁は大径凹弧線１０をなしており、へら部７の端縁は小径凹弧線１１をなしている。これら各弧線は、大径凸弧線８が半径１５０ｍｍ、小径凸弧線９が半径６０ｍｍ、大径凹弧線１０が半径２００ｍｍ、小径凹弧線１１が半径６０ｍｍの曲率で形成され、それぞれの弧線間は滑らかに連続するように除毛剤用器具１を形成している。
【００２９】
図１で示されている面の表面では、一次成形品２のへら部４とへら部５は段差がなく繋がっているが、二次成形品３のへら部６とへら部７は段差がないものの繋がっていない。また、この面の中央部には、二次成形品３のオレフィン系熱可塑性エラストマーによるロゴマーク１２が配され、このロゴマーク１２を挟んで、へら部４に丸形マーク１３が、へら部５に星形マーク１４がそれぞれ配されるように、一次成形品２が成形されている。
【００３０】
図２は本実施例の除毛剤用器具１の背面図である（二次成形品３は図２でも斜線部で示される。）。この図で示されている面の表面では、二次成形品３のへら部６とへら部７は段差がなく繋がっているが、一次成形品２のへら部４とへら部５は段差がないものの繋がっていない。また、この面においても、へら部４に丸形マーク１３が、へら部５に星形マーク１４がそれぞれ配されるように、一次成形品２が成形されている。
【００３１】
二色成形品である本実施例の除毛剤用器具１は、２本のシリンダを有する回転式二色射出成形機に、一次成形品２を成形する型および二次成形品３を成形する型が設けられた固定型と、金型回転板に設けられた固定型を用いて成形したものである。すなわち、第１シリンダより原料のポリプロピレンを充填して一次成形品２を成形し、一度型開きをして、一次成形品２を固定型に付着させたまま、金型回転盤を１８０゜回転させて型を閉じ、第２シリンダより原料のオレフィン系熱可塑性エラストマーを充填して二次成形品３を成形し、再び型開きを行い、二色成形品の除毛剤用器具１を金型から取出してできあがる。
【００３２】
除毛剤用器具１の上記成形過程で得られる一次成形品２を図３に示す。一次成形品２には、長手方向に見て大径凸弧線８と同じ側となる位置であって、かつ、短手方向に見て小径凸弧線９と同じ方となる位置に結合突片１５が設けられており、長手方向に見て小径凸弧線９と同じ側となる位置であって、かつ、短手方向に見て大径凸弧線８と同じ方となる位置に結合突片１６が設けられている。すなわち、結合突片１５と結合突片１６は対角となる位置に設けられていることになる。そして、結合突片１５と結合突片１６には、それぞれ複数個の円形の貫通穴１７および貫通穴１８が設けられており、図３で示されている面において、結合突片１５および結合突片１６の上面は、それぞれ、へら部４およびへら部５の上面より低くなるように段差が設けられている。また、二次成形品３のオレフィン系熱可塑性エラストマーによるロゴマーク１２を形成するための貫通穴１９が、一次成形品２には設けられている。
【００３３】
図４は一次成形品２の背面図である。この図で示されている面において、結合突片１５と結合突片１６は凹面２０を介して繋がっており、この面において、結合突片１５と結合突片１６と凹面２０は段差がないが、へら部４およびへら部５の面より低くなるように段差が設けられている。凹面２０の中央部には、矩形状の凹部２１が設けられており、この凹部２１のなかに貫通穴１９が設けられている。
【００３４】
この一次成形品２に対し、上記成形過程により二次成形品３を成形して二色成形品が得られるが、一次成形品２と二次成形品３の結合について以下説明する。
【００３５】
上記構造の一次成形品２に対し、上記成形過程に従って二次成形品３の原料であるオレフィン系熱可塑性エラストマーを二次成形品３を成形する型に充填することにより、一次成形品２の結合突片１５を覆うようにへら部６が成形され、結合突片１６を覆うようにへ
ら部７が成形される。この時、貫通穴１７および貫通穴１８にもオレフィン系熱可塑性エラストマーが充填されるため、へら部６の上下面およびへら部７上下面が、貫通穴１７および貫通穴１８を介して結合され、一次成形品２と二次成形品３の一体化が強固となる。また、貫通穴１９および凹部２１にもオレフィン系熱可塑性エラストマーが充填されるため、ロゴマーク１２が形成される。凹部２１は貫通穴１９に充填されたロゴマーク１２の強度を得るためのものである。なお、へら部４〜へら部７の表面に段差が生じないように二次成形品３を成形する型が設定されているため、結合突片１５の周囲、結合突片１６の周囲および凹面２０にオレフィン系熱可塑性エラストマーを充填して二次成形品３も成形した除毛剤用器具１は、一次成形品２と二次成形品３との間に段差のないものとなる。
【００３６】
次に、本実施例の除毛剤用器具１の使用方法について説明する。
【００３７】
前腕部等の狭く彎曲した面を持つ腕に除毛剤を塗布する場合は、比較的大きな曲率を持った線となるような小径凸弧線９が端縁になされているへら部５を用い、大腿部等の比較的広く緩やかな曲面をもつ足に除毛剤を塗布する場合は、直線に近い線となるような大径凸弧線８が端縁になされているへら部４を用いるとよい。同様に、前腕部等の狭く彎曲した面を持つ腕のの除毛剤をむだ毛とともに除去する場合は、比較的大きな曲率を持った線となるような小径凹弧線１１が端縁になされているへら部７を用い、大腿部等の比較的広く緩やかな曲面をもつ足の除毛剤をむだ毛とともに除去する場合は、直線に近い線となるような大径凹弧線１０が端縁になされているへら部６を用いるとよい。これらを使用する際、へら部４に丸形マーク１３が配されており、へら部５に星形マーク１４が配されているため、これらのマークを目印にして使用するへら部を容易に見極められる。
【００３８】
このように、使用する箇所と用途に応じて、へら部４〜へら部７を適宜選択して用いることにより、腕や足などの形状にフィットするため、除毛剤の塗布や除去をより効率的にできるだけでなく、使用時の皮膚刺激もより少なくできる。また、容易に洗浄できるため、繰り返し使用でき、除毛剤の付属品としても好適である。
【００３９】
図５には、本実施例以外の例（Ａ）〜（Ｃ）の正面図および背面図をそれぞれ示した。これらの例は、硬質樹脂からなる一次成形品２（図５においては、一次成形品２が斜線で示される。）と、軟質樹脂からなる二次成形品３の種々の形状のものである。例えば、（Ａ）のように、硬質樹脂からなるへら部の端縁が凸弧線をなさず、軟質樹脂からなるへら部の端縁も凹弧線をなさないような絡矩形状の除毛剤用器具１であっても構わない。また、（Ｂ）のように、一次成形品２のへら部４とへら部５の表面上の繋がり方、かつ二次成形品３のへら部６とへら部７の表面上の繋がり方が、本実施例と反対向きになっていても構わない。さらに、図示していないが、二次成形品３のへら部６とへら部７が繋がらず、二次成形品３がツーパーツに分かれていても構わないし、（Ｃ）のように、一次成形品２のへら部４とへら部５が繋がらず、一次成形品２がツーパーツに分かれていても構わない。もちろん、硬質樹脂と軟質樹脂が二色成形以外の成形で一体化されていても構わない。そして、へら部４〜へら部７の位置関係も、上記図示したものに限定されるものではなく、例えば、へら部４とへら部５が長手方向の一側にあり、へら部６とへら部７が他側にあっても構わない。
【産業上の利用可能性】
【００４０】
本発明の除毛剤用器具は、除毛剤の塗布や除去に限らず、他の化粧料の塗布または除去の際に利用することができる。特にクリーム状、ペースト状、泡状、またはジェル状などの剤型をとる化粧料については、除毛剤に用いた場合と同様の効果が期待できる。
【図面の簡単な説明】
【００４１】
【図１】本発明の除毛剤用器具の一実施形態を示す概略斜視図である。
【図２】本実施例の除毛剤用器具の背面図である。
【図３】本実施例の一次成形品の概略斜視図である。
【図４】本実施例の一次成形品の背面図である。
【図５】その他の実施例を示す正面図および背面図である。
【符号の説明】
【００４２】
１  除毛剤用器具
２  一次成形品
３  二次成形品
４〜７  へら部
８  大径凸弧線
９  小径凸弧線
１０  大径凹弧線
１１  小径凹弧線
【図１】
2007185216.tif 000003
【図２】
2007185216.tif 000004
【図３】
2007185216.tif 000005
【図４】
2007185216.tif 000006
【図５】
2007185216.tif 000007